(57)【要約】【課題】フロアシートを巻き取る際の作業性を改善し、当該フロアシートを不都合なく巻き取るのに適したフロアシート巻取器を提供すること。【解決手段】前方に延びるフロアシートＳを巻き取るためのフロアシート巻取器Ａ１であって、横方向に離れて位置する左右一対の支柱１０、およびこれら支柱１０が両端部に連結される連結部１１、を有するフレーム１と、相対的に高位置にあり、かつ横方向に延びており、一対の支柱１０により回転自在に支持された第１のガイドローラ２と、第１のガイドローラ２よりも後方に位置し、かつ相対的に低位置にあり、横方向に延びるとともに一対の支柱１０により回転自在に支持された第２のガイドローラ３と、前後方向において第１および第２のガイドローラ２，３の間に位置し、かつ第１および第２のガイドローラ２，３よりも高位置にあり、横方向に延びてフロアシートＳを巻き取るための巻取軸４と、を備える。【選択図】図２
2017065908.tif 000002
【特許請求の範囲】
【請求項１】
前方に延びるフロアシートを巻き取るためのフロアシート巻取器であって、
横方向に離れて位置する左右一対の支柱、およびこれら支柱が両端部に連結され、横方向に延びる連結部、を有するフレームと、
相対的に高位置にあり、かつ横方向に延びており、上記一対の支柱により回転自在に支持された第１のガイドローラと、
上記第１のガイドローラよりも後方に位置し、かつ相対的に低位置にあり、横方向に延びるとともに上記一対の支柱により回転自在に支持された第２のガイドローラと、
前後方向において上記第１および第２のガイドローラの間に位置し、かつ上記第１および第２のガイドローラよりも高位置にあり、横方向に延びてフロアシートを巻き取るための巻取軸と、を備える、フロアシート巻取器。
【請求項２】
上記第１のガイドローラの両端付近には、外径寸法が上記第１のガイドローラよりも大である一対のフランジが設けられている、請求項１に記載のフロアシート巻取器。
【請求項３】
上記一対の支柱は各々、前後方向に離間する前脚部および後脚部を有し、
上記前脚部および後脚部の各々の下端には、キャスタが設けられている、請求項１または２に記載のフロアシート巻取器。
【請求項４】
上記各前脚部に設けられた上記キャスタには、当該キャスタの回転を規制するストッパが設けられている、請求項３に記載のフロアシート巻取器。
【発明の詳細な説明】
【技術分野】
【０００１】
本発明は、体育館等の床面に敷いた長尺のフロアシートを巻き取るためのフロアシート巻取器に関する。
【背景技術】
【０００２】
体育館や屋内ホール等においては、使用目的に応じて土足での立ち入りを許容するため、一般に、床面にフロアシートを敷くことで対応する。当該床面に敷かれるフロアシートは長尺であり、使用後には回収する必要がある。フロアシートを回収する際、たとえば当該回収作業を補助する目的で、フロアシートを巻き取るための器具が使用される（たとえば、特許文献１を参照）。
【０００３】
特許文献１に開示されたフロアシート巻取器は、台車に転動ローラやフロアシートの巻取芯を装備した構成とされる。上記転動ローラは、台車の車輪とギア機構により連動しており、車輪を走行させると当該転動ローラが回転する。フロアシートの巻き取り作業は、台車を手押しして、走行させながら行う。ここで、上記転動輪にはフロアシートが載っており、車輪の走行が転動輪の回転に変換され、フロアシートを巻き取る力となる。このようなフロアシート巻取器においては、台車を手押し走行させることで、フロアシートを巻き取ることが可能である。
【０００４】
しかしながら、上記従来のフロアシート巻取器においては、台車を走行させながらフロアシートを巻き取るため、フロアシートを敷き詰めた広い範囲を走行させる必要がある。このため、フロアシートの巻き取り作業自体が大掛かりとなり、作業性が低下する傾向にある。また、台車を走行させながらフロアシートの巻取りを行う上記手法では、台車の走行方向にズレが生じたり、あるいは敷かれたフロアシートの延びる方向が真直ぐではなくズレがあると、これらのズレに起因して、巻き取られるロール状のフロアシートに皺や偏りが生じるといった不都合が生じうる。
【先行技術文献】
【特許文献】
【０００５】
【特許文献１】特開２００４−３０７１６４号公報
【発明の概要】
【発明が解決しようとする課題】
【０００６】
本発明は、このような事情のもとで考え出されたものであって、フロアシートを巻き取る際の作業性を改善し、当該フロアシートを不都合なく巻き取るのに適したフロアシート巻取器を提供することをその課題とする。
【課題を解決するための手段】
【０００７】
上記の課題を解決するため、本発明では、次の技術的手段を講じている。
【０００８】
本発明によって提供されるフロアシート巻取器は、前方に延びるフロアシートを巻き取るためのフロアシート巻取器であって、横方向に離れて位置する左右一対の支柱、およびこれら支柱が両端部に連結され、横方向に延びる連結部、を有するフレームと、相対的に高位置にあり、かつ横方向に延びており、上記一対の支柱により回転自在に支持された第１のガイドローラと、上記第１のガイドローラよりも後方に位置し、かつ相対的に低位置にあり、横方向に延びるとともに上記一対の支柱により回転自在に支持された第２のガイドローラと、前後方向において上記第１および第２のガイドローラの間に位置し、かつ上記第１および第２のガイドローラよりも高位置にあり、横方向に延びてフロアシートを巻き取るための巻取軸と、を備えることを特徴としている。
【０００９】
好ましい実施の形態においては、上記第１のガイドローラの両端付近には、外径寸法が上記第１のガイドローラよりも大である一対のフランジが設けられている。
【００１０】
好ましい実施の形態においては、上記一対の支柱は各々、前後方向に離間する前脚部および後脚部を有し、上記前脚部および後脚部の各々の下端には、キャスタが設けられている。
【００１１】
好ましい実施の形態においては、上記各前脚部に設けられた上記キャスタには、当該キャスタの回転を規制するストッパが設けられている。
【００１２】
本発明のその他の特徴および利点は、添付図面を参照して以下に行う詳細な説明によって、より明らかとなろう。
【図面の簡単な説明】
【００１３】
【図１】本発明に係るフロアシート巻取器の一例を示し、前方から見た正面図である。
【図２】図１に示すフロアシート巻取器の右側面図である。
【図３】図１に示すフロアシート巻取器の平面図である。
【図４】第１のガイドローラの支持構造の一例を示す断面図である。
【図５】巻取軸の支持構造の一例を示し、図１のＶ−Ｖ線に沿う断面図である。
【図６】フロアシート巻取器の使用状態の一例を示す右側面図である。
【図７】フロアシート巻取器の使用状態の一例を示す平面図である。
【図８】フロアシート巻取器の作用を説明するための図であり、主要構成要素を簡略化して表した平面図である。
【図９】フロアシート巻取器の作用を説明するための図であり、主要構成要素を簡略化して表した平面図である。
【発明を実施するための形態】
【００１４】
以下、本発明の好ましい実施の形態について、図面を参照して具体的に説明する。
【００１５】
図１〜図３は、本発明に係るフロアシート巻取器の一例を示している。本実施形態のフロアシート巻取器Ａ１は、フレーム１と、第１のガイドローラ２と、第２のガイドローラ３と、巻取軸４と、を備え、たとえば床面に敷かれた長尺のフロアシートを巻き取るのに用いられるものである。
【００１６】
フレーム１は、たとえば塗装などの防食処理が施された鉄製のパイプ材等が溶接等の適宜手段により連結されて構成されたものである。フレーム１は、一対の支柱１０と、これら一対の支柱１０を連結する連結部１１と、を備えて構成されている。
【００１７】
一対の支柱１０は、横方向（図１における左右方向）に離れて左右に対をなして位置している。各支柱１０は、前後方向（図２における左右方向、図３における上下方向）に離間する前脚部１０１および後脚部１０２を有しており、これら前脚部１０１および後脚部１０２の頂部どうしが連結されている。なお、図２における左側を前方とし、同図における右側を後方として前後の方向を特定することとする。
【００１８】
各支柱１０には、補助バー１２が設けられている。図２に示すように、補助バー１２は、前後方向に延びて両端部が前脚部１０１および後脚部１０２に連結されており、支柱１０を補強する役割を担う。
【００１９】
各支柱１０の前脚部１０１および後脚部１０２の下端には、キャスタ１４，１５が設けられている。前脚部１０１の下端に設けられたキャスタ１４には、当該キャスタ１４の回転を規制するためのストッパ１６が設けられている。ストッパ１６は、キャスタ１４が回転自在な解除状態と、キャスタ１４の回転を規制するロック状態とに切り替え可能とされている。
【００２０】
第１のガイドローラ２は、横方向に延びており、一対の支柱１０によって回転自在に支持されている。本実施形態においては、第１のガイドローラ２の両端部が一対の支柱１０それぞれの前脚部１０１に支持されている。第１のガイドローラ２は、前方に延びるフロアシートＳを掛け回すためのものであり、第２のガイドローラ３よりも高位置にある。第１のガイドローラ２の高さ位置は、たとえば床面から６９〜７０ｃｍ程度である。第１のガイドローラ２の両端付近には、一対のフランジ５が設けられている。一対のフランジ５の間隔は、フロアシートＳの幅寸法よりも大きくされている。
【００２１】
第２のガイドローラ３は、横方向に延びており、一対の支柱１０によって回転自在に支持されている。本実施形態においては、第２のガイドローラ３の両端部が一対の支柱１０それぞれの後脚部１０２に支持されている。第２のガイドローラ３は、第１のガイドローラ２を経たフロアシートＳを掛け回すためのものであり、第１のガイドローラ２よりも後方に位置し、かつ低位置にある。第２のガイドローラ３の高さ位置は、たとえば床面から３２〜３３ｃｍ程度である。第２のガイドローラ３の両端付近には、一対のフランジ６が設けられている。一対のフランジ６の間隔は、フロアシートＳの幅寸法よりも大きくされている。
【００２２】
上記一対のフランジ５間や一対のフランジ６間、フロアシートＳの寸法の一例を挙げると、一対のフランジ５の間隔、および一対のフランジ６の間隔が１３９〜１４０ｃｍ程度、フロアシートＳの幅寸法が１３７ｃｍ程度である。
【００２３】
図４は、第１のガイドローラ２の支持構造を示している。なお、第２のガイドローラ３の支持構造も第１のガイドローラ２と同様であるので、その説明は省略する。
【００２４】
第１のガイドローラ２（第２のガイドローラ３）は、ローラ軸２１（３１）に外嵌されている。ローラ軸２１（３１）は、支柱１０（前脚部１０１（後脚部１０２））に固定されている。第１のガイドローラ２（第２のガイドローラ３）は、ローラ軸２１（３１）の外径よりも大きい内径を有する円筒状であり、オイレスブッシュ２２（３２）を介してローラ軸２１（３１）に外嵌されている。これにより、第１のガイドローラ２（第２のガイドローラ３）は、ローラ軸２１（３１）の軸線Ｏ１（Ｏ２）周りに回転自在である。ローラ軸２１（３１）には、スペーサ２３（３３）およびフランジ５（６）が外嵌されている。スペーサ２３（３３）は、支柱１０（前脚部１０１（後脚部１０２））に隣接しており、フランジ５（６）は、スペーサ２３（３３）に隣接している。スペーサ２３（３３）およびフランジ５（６）は、ローラ軸２１（３１）の軸線Ｏ１（Ｏ２）周りに回転自在である。そして、第１のガイドローラ２（第２のガイドローラ３）は、フランジ５（６）に隣接している。このような構成により、フランジ５（６）および第１のガイドローラ２（第２のガイドローラ３）は、ローラ軸２１（３１）の軸線Ｏ１（Ｏ２）に沿う方向における位置が規定されている。
【００２５】
なお、第１および第２のガイドローラ２，３の長さ（軸線に沿う方向の寸法）の一例を挙げると、１３８〜１３９ｃｍ程度である。
【００２６】
巻取軸４は、第１および第２のガイドローラ２，３を経たフロアシートＳを巻き取るための軸芯となるものである。図１、図３に示すように、巻取軸４は、横方向に延びており、一対の支柱１０によって回転自在に支持されている。図２に示すように、巻取軸４は、前後方向において第１および第２のガイドローラ２，３の間に位置する。また、巻取軸４は、第１および第２のガイドローラ２，３よりも高位置にある。巻取軸４の高さ位置は、たとえば床面から８９〜９０ｃｍ程度である。
【００２７】
図５は、巻取軸４の支持構造を示している。同図から理解されるように、各支柱１０の頂部付近には、一対の支持ローラ１７が設けられている。これら支持ローラ１７は、各々が横方向に沿う軸線周りに回転自在であり、前後方向に並んでいる。巻取軸４は、一対の支持ローラ１７に跨るようにしてこれら支持ローラ１７上に載置される。このような構成により、巻取軸４は、横方向に沿う軸線Ｏ３周りに回転自在である。
【００２８】
図１、図３に示すように、巻取軸４の長手方向（軸線Ｏ３に沿う方向）における端部には、操作ハンドル４１が着脱可能に装着される。図１、図３においては、同図の右側に操作ハンドル４１が装着された態様を示しているが、同図の左側に操作ハンドル４１を装着することも可能である。操作ハンドル４１の装着位置は、作業者の利き腕に応じて適宜変更することができる。なお、図２においては、操作ハンドル４１を省略している。
【００２９】
次に、本実施形態のフロアシート巻取器Ａ１を用いて行うフロアシートＳの巻き取り作業、およびフロアシート巻取器Ａ１の作用について、図６〜図９を参照しつつ説明する。
【００３０】
まず、床面に敷かれたフロアシートＳがフロアシート巻取器Ａ１の前方側に延びるように、当該フロアシート巻取器Ａ１を配置する。フロアシートＳは、たとえばターポリンと呼称される合成樹脂製のシート素材からなる。
【００３１】
次に、図６、図７に示すように、フロアシートＳの端部Ｓ１を、第１のガイドローラ２の上側、第２のガイドローラ３の下側の順に通し、巻取軸４の上側を通す。ここで、フロアシートＳの端部Ｓ１を、第１のガイドローラ２上にあるフロアシートＳの部分Ｓ２に重ね、端部Ｓ１と部分Ｓ２の幅方向における端縁の位置を一致させる。このとき、作業者がフロアシート巻取器Ａ１に対して後方に立ち、図６、図７において矢印Ｎ１で示す方向を見ることにより、端部Ｓ１と部分Ｓ２に幅方向における端縁が一致していることを容易に確認することができる。
【００３２】
次いで、フロアシートＳの端部Ｓ１（巻取軸４を越えて前方に延びる部分）を巻取軸４に巻き付ける。次いで、図８に示すように、操作ハンドル４１を矢印Ｎ２で示す方向に回転させ、フロアシートＳを巻取軸４に巻き取る。なお、図８、図９においては、フロアシート巻取器Ａ１の主要構成要素を簡略化して表す。
【００３３】
本実施形態では、作業者がフロアシート巻取器Ａ１の後方（図８における上側）に立った状態において、作業者は左腕により操作ハンドル４１を回すことになる。なお、操作ハンドル４１を用いてフロアシートＳを巻き取る作業に先立ち、前方側（前脚部１０１）に設けられたキャスタ１４のうち、作業者の立ち位置と対角に位置するキャスタ１４（図８に示す状態では図中左下のキャスタ１４）のみ、ストッパ１６をロック状態としておく。これにより、フロアシート巻取器Ａ１は、図中左下のキャスタ１４の略中心である垂直軸線Ｏｘ周りに回動可能となっている。
【００３４】
床面に敷かれた長尺のフロアシートＳは、必ずしも当該フロアシートＳの長手方向に沿って真っ直ぐに延びているとは限らない。即ち、床面上のフロアシートＳは、長手方向に見た時、幅方向に多少ズレている箇所が存在する場合がある。床面上のフロアシートＳに幅方向でのズレがあると、当該フロアシートＳが巻き取られる過程で横方向（図８において左右方向）に偏り易くなる。図８は、巻き取られる途中のフロアシートＳについて、既に巻き取られたロール状のフロアシート（以下、「ロール体Ｓｒ」という。）に対し、矢印Ｎ３で示す図中右側へのズレがある場合を示している。
【００３５】
上記のようにフロアシートＳの幅方向にズレが生じると、第１のガイドローラ２の端部付近に設けられたフランジ５と、フロアシートＳの端縁との隙間が変化する。したがって、フロアシートＳの上記したズレは、矢印Ｎ１に示す方向への目視によって、作業者が確認することができる。ここで、図９に示すように、作業者は、操作ハンドル４１を矢印Ｎ４で示す前方側に少し押し出す。これにより、フロアシート巻取器Ａ１は、図中左下の垂直軸線Ｏｘを中心として時計回り方向へ少し回動し、右側の支柱１０が少し前方（図中下方）に動く。その結果、図９に示すように、ロール体Ｓｒの端縁と巻き取られるフロアシートＳの端縁とのズレを殆ど無くすことができる。
【００３６】
本実施形態のフロアシート巻取器Ａ１においては、図２によく表れているように、巻き取られるフロアシートＳは、相対的に高位置にある第１のガイドローラ２と、相対的に低位置にある第２のガイドローラ３とに掛け回された後、第１および第２のガイドローラ２，３よりも高位置にある巻取軸４に巻き取られる。このように第１および第２のガイドローラ２，３、ならびに巻取軸４について高低差をつけて配置することにより、これらに掛け回されたフロアシートＳに対して、送り方向（図中矢印方向）に比較的に大きな張力を与えることができる。これにより、巻取軸４を回転させることによってフロアシートＳを巻き取ることが可能である。したがって、作業者は移動することなくフロアシートＳの回収作業を進めることができるので、作業性に優れる。
【００３７】
また、上記のようにフロアシートＳの送り方向に比較的に大きな張力を与えることで、巻き取られるフロアシートＳにおいて皺の発生を抑制することができる。
【００３８】
巻取軸４は、前後方向において第１および第２のガイドローラ２，３の間に位置する。このような構成によれば、第１および第２のガイドローラ２，３、ならびに巻取軸４を、比較的に小さいスペースで効率よく配置することができる。
【００３９】
図２を参照して第１および第２のガイドローラ２，３、ならびに巻取軸４の位置関係について見ると、第２のガイドローラ３は、最も低位置にあり、かつ第１のガイドローラ２よりも後方にある。また、巻取軸４は、最も高位置にあり、第２のガイドローラ３よりも前方にある。このような構成により、第２のガイドローラ３に掛け回されるフロアシートＳについては、この第２のガイドローラ３によって大きく折り返されており、第２のガイドローラ３の周方向において当該第２のガイドローラ３の外周面に接触する角度範囲が大きい。このような構成によれば、巻き取とられるフロアシートＳに大きな張力を与えやすく、皺の発生等の不都合をより抑制することができる。
【００４０】
第１のガイドローラ２は、第２のガイドローラ３と比べて高い位置に設けられている。このため、第１のガイドローラ２に掛け回されるフロアシートＳについては、床面との間が比較的に大きな角度で傾斜することになる。このような構成によれば、巻取り作業時にフロアシートＳが床面と密着することが防止され、フロアシートＳの巻取り作業時の抵抗を減らしてスムーズに巻き取ることが可能となる。
【００４１】
一対の支柱１０の各前脚部１０１の下端のキャスタ１４には、当該キャスタ１４の回転を規制するストッパ１６が設けられている。このような構成によれば、図９を参照して上述したように、作業者の立ち位置と対角にあるキャスタ１４をストッパ１６によりロックしておくことで、巻き取られるフロアシートＳの幅方向においてズレが生じても、当該ズレを解消しながら巻き取り作業を行うことができる。
【００４２】
以上、本発明の具体的な実施形態を説明したが、本発明はこれに限定されるものではなく、発明の思想から逸脱しない範囲内で種々な変更が可能である。本発明に係るフロアシート巻取器の各部の具体的な構成は、種々に設計変更自在である。
【符号の説明】
【００４３】
Ａ１        フロアシート巻取器
Ｏ１，Ｏ２，Ｏ３    軸線
Ｏｘ        垂直軸線
Ｓ          フロアシート
Ｓ１        （フロアシートの）端部
Ｓ２        （フロアシートの）部分
Ｓｒ        ロール体
１          フレーム
１０        支柱
１０１      前脚部
１０２      後脚部
１１        連結部
１２        補助バー
１４        キャスタ
１５        キャスタ
１６        ストッパ
１７        支持ローラ
２          第１のガイドローラ
２１        ローラ軸
２２        オイレスブッシュ
２３        スペーサ
３          第２のガイドローラ
３１        ローラ軸
３２        オイレスブッシュ
３３        スペーサ
４          巻取軸
４１        操作ハンドル
５，６      フランジ
【図１】
2017065908.tif 000003
【図２】
2017065908.tif 000004
【図３】
2017065908.tif 000005
【図４】
2017065908.tif 000006
【図５】
2017065908.tif 000007
【図６】
2017065908.tif 000008
【図７】
2017065908.tif 000009
【図８】
2017065908.tif 000010
【図９】
2017065908.tif 000011